(57)【要約】【課題】  遊技盤の釘配置領域を圧迫することなく、大型の可動物を配置し、遊技領域全体を利用した可動物演出を可能にする。また、可動物に対する汚れの付着や、可動物の破損を防止する。【解決手段】  遊技盤４の遊技領域前方に、空間Ｓを存して重合する複数のガラス２２が配置されたパチンコ遊技機１において、ガラス２２間の空間Ｓで動作する演出用の可動物２３を設ける。可動物２３は、遊技領域の前方位置から退避する格納姿勢と、遊技領域の前方位置に進出する演出姿勢とに変姿でき、演出時にのみ遊技領域の前方に進出させる。【選択図】        図４
2006006544.tif 000002
【特許請求の範囲】
【請求項１】
遊技盤の遊技領域前方に、空間を存して重合する複数のガラスが配置された弾球遊技機であって、前記ガラス間の空間で動作する演出用の可動物を備えることを特徴とする弾球遊技機。
【請求項２】
前記可動物及びその駆動装置は、前記遊技盤に設けられることを特徴とする請求項１記載の弾球遊技機。
【請求項３】
前記可動物及びその駆動装置は、前記ガラスを支持する開閉自在な前枠に設けられることを特徴とする請求項１記載の弾球遊技機。
【請求項４】
前記可動物は、前記遊技領域の前方位置から退避する格納姿勢と、前記遊技領域の前方位置に進出する演出姿勢とに変姿されることを特徴とする請求項１〜３のいずれかに記載の弾球遊技機。
【請求項５】
格納姿勢の前記可動物は、前記ガラス間の空間から退避することを特徴とする請求項４記載の弾球遊技機。
【請求項６】
格納姿勢の前記可動物は、遊技者が目視できない位置に退避することを特徴とする請求項４又は５記載の弾球遊技機。
【発明の詳細な説明】
【技術分野】
【０００１】
本発明は、パチンコ遊技機などの弾球遊技機に係り、特に、可動物によって遊技を演出する弾球遊技機に関する。
【背景技術】
【０００２】
一般に、弾球遊技機における遊技の演出には、画像表示装置、発光装置、サウンド装置、振動発生装置、可動物などが使用されている。この種の弾球遊技機では、画像表示装置の表示画像が演出の主体となっており、この表示画像に応じて、発光装置、サウンド装置、振動発生装置、可動物などを動作させることにより、演出効果を高めている。
【０００３】
近年、差別化を図るために、大型の可動物を備える弾球遊技機が増えている。この種の可動物は、通常、遊技盤の中央部（例えば、センター役物内）や、遊技盤の右側端部に設けられ、いわゆるリーチ予告、スーパーリーチ演出、大当り演出などに使用されている。
【０００４】
しかしながら、可動物を大型化すると、遊技盤の釘配置領域が圧迫されるため、弾球遊技機本来の遊技性が低下するという問題がある。また、遊技盤の遊技領域に配置された可動物には、汚れが付着するため、メンテナンスに手間がかかるという問題もある。
【０００５】
そこで、遊技盤の遊技領域外に可動物を設けることが提案されている（特許文献１参照。）。例えば、特許文献１に記載の遊技機は、遊技盤の前方を覆う前枠の上端部に可動物を備え、この可動物を遊技状態に応じて動作させるように構成されている。
【特許文献１】特開２００４−１６７２２号公報
【発明の開示】
【発明が解決しようとする課題】
【０００６】
しかしながら、特許文献１に示されるように、前枠の上端部に可動物を配置した場合、可動物が遊技者の視界から外れ易いため、その演出効果に疑問がある。また、可動物が外部に露出しているため、汚れが付着し易いという点では、従来のものと同様であり、また、遊技者との接触や悪戯によって、可動物が破損する可能性もある。
【課題を解決するための手段】
【０００７】
上記の如き実情に鑑みこれらの課題を解決することを目的として創作された本発明の弾球遊技機は、遊技盤の遊技領域前方に、空間を存して重合する複数のガラスが配置された弾球遊技機であって、前記ガラス間の空間で動作する演出用の可動物を備えることを特徴とする。このように構成すれば、遊技盤の釘配置領域を圧迫することなく、大型の可動物を配置し、遊技領域全体を利用した可動物演出が可能になる。しかも、可動物は、ガラスで保護されるため、汚れの付着や破損も回避できる。
また、前記可動物及びその駆動装置は、前記遊技盤に設けられることを特徴とする。このように構成すれば、可動物及びその駆動装置を一体的なユニットとし、構造の簡略化が図れる。また、可動物及びその駆動装置を前枠に設ける場合に比べて、配線が容易になる。
また、前記可動物及びその駆動装置は、前記ガラスを支持する開閉自在な前枠に設けられることを特徴とする。このように構成すれば、可動物及びその駆動装置を一体的なユニットとし、構造の簡略化が図れる。また、前枠に可動物を設けると、可動物がガラス間に進入している状態でも、前枠を開閉できるという利点がある。例えば、可動物がガラス間に引っ掛かるというトラブルが生じた場合であっても、可動物を破損させることなく、前枠を開放させることができる。
また、前記可動物は、前記遊技領域の前方位置から退避する格納姿勢と、前記遊技領域の前方位置に進出する演出姿勢とに変姿されることを特徴とする。このように構成すれば、可動物による遊技領域の圧迫を回避しつつ、遊技領域全体を利用した可動物演出が可能になる。
また、格納姿勢の前記可動物は、前記ガラス間の空間から退避することを特徴とする。このように構成すれば、可動物を遊技盤側に設けても、前枠の開閉に際して可動物が邪魔になることがない。また、可動物を常にガラス間に位置させる場合に比べ、可動物のメンテナンスが容易になる。
また、格納姿勢の前記可動物は、遊技者が目視できない位置に退避することを特徴とする。このように構成すれば、可動物が突然出現するというインパクトのある演出を行うことが可能になる。
【発明の効果】
【０００８】
上記のように構成された本発明の弾球遊技機によれば、ガラス間の空間で動作する演出用の可動物を備えるので、遊技盤の釘配置領域を圧迫することなく、大型の可動物を配置し、遊技領域全体を利用した可動物演出が可能になる。しかも、可動物は、ガラスで保護されるため、汚れの付着や破損も回避できる。
【発明を実施するための最良の形態】
【０００９】
［弾球遊技機の構成］
次に、本発明の実施形態について、図面に基づいて説明する。図１及び図２において、１はパチンコ遊技機（弾球遊技機）であって、該パチンコ遊技機１は、パチンコ島に固定される外枠２に対して、開閉自在に取り付けられている。パチンコ遊技機１の側方隣接位置には、台間玉貸し機３が並設され、この台間玉貸し機３に、現金又はプリペイドカードを投入することにより、台間玉貸し機３又はパチンコ遊技機１から遊技球が貸し出され、パチンコ遊技が可能になる。
【００１０】
パチンコ遊技機１の正面は、パチンコの遊技領域を構成する遊技盤４と、その前方を覆う開閉自在な前枠５と、遊技球を溜める上皿６と、上皿６の余剰球を溜める下皿７と、遊技球の発射操作を行う発射ハンドル８と、遊技球の貸出操作を行う貸出操作部９と、効果音を発生するスピーカ１０とを備えており、また、パチンコ遊技機１の背面は、払出用の遊技球を溜める遊技球タンク１１と、遊技球タンク１１内の遊技球を上皿６に払い出す賞球払出装置１２と、遊技球を発射する発射モータ（発射装置）１３と、各種の制御基板とを備えている。
【００１１】
図３に示すように、遊技盤４の遊技領域４ａには、始動口１４、入賞口１５、大入賞口１６、ゲート１７、アウト口１８及び遊技釘１９が配置されており、遊技盤４に発射された遊技球は、遊技釘１９によって各口１４〜１８に誘導される。遊技盤４の中央部には、液晶パネルからなる特別図柄表示部２０が設けられ、その周りは、センター飾り２１によって囲まれている。特別図柄表示部２０は、始動口１４に対する遊技球の入賞に応じて、特別図柄を変動表示すると共に、各種の演出表示を行う。
【００１２】
図１及び図４に示すように、前枠５には、少なくとも遊技盤４の遊技領域４ａを目視可能にする窓５ａが形成されている。本実施形態の窓５ａは、円形であり、その周囲が不透明なカバー部材５ｂで覆われている。窓５ａには、空間Ｓを存して重合する複数のガラス２２が取付けられている。空間Ｓの周縁は、ガラス２２を支持する支持枠（図示せず）によって塞がれているが、周縁の一部は、後述する可動物２３の挿入口として開放されている。
【００１３】
本発明のパチンコ遊技機１は、ガラス２２間の空間Ｓで動作する演出用の可動物２３（２８）を備える。このような可動物２３（２８）を設けると、遊技盤４の釘配置領域を圧迫することなく、大型の可動物２３（２８）を配置し、遊技領域全体を利用した可動物演出が可能になる。しかも、可動物２３（２８）は、ガラス２２で保護されるため、汚れの付着や破損も回避できる。以下、可動物２３（２８）を備えるパチンコ遊技機１の各種実施形態について、図面を参照して説明する。
【００１４】
［第一実施形態］
図４〜図７に示すように、第一実施形態の可動物２３は、演出用の絵柄が施された可動物本体２３ａと、これを支える支持棒２３ｂとから構成されており、駆動装置２４によって回動される。駆動装置２４は、減速ギヤ機構２５と、この減速ギヤ機構２５を介して、可動物２３を回動させるモータ２６と、これらを支持するケース２７とを備えて構成されている。
【００１５】
減速ギヤ機構２５は、モータ軸に一体的に設けられるピニオンギヤ２５ａと、可動物支軸に一体的に設けられる最終ギヤ２５ｂと、ピニオンギヤ２５ａ及び最終ギヤ２５ｂに噛み合う中間ギヤ２５ｃとによって構成されるが、この構成は任意に変更できる。また、本実施形態の駆動装置２４は、モータ２６の動力で可動物２３を動作させるが、可動物２３を動作させるアクチュエータがモータ２６に限定されないことは勿論である。例えば、電磁的に出没動作するソレノイドを好適に用いることができる。
【００１６】
本実施形態では、可動物２３及び駆動装置２４を予め一体的にユニット化し、これを遊技盤４の上端部（遊技領域外）に取付けている。このようにすると、構造の簡略化が図れるだけでなく、駆動装置２４と制御基板を接続する配線の引き回しが容易になる。
【００１７】
上記のように配置された可動物２３は、遊技領域の前方位置から退避する格納姿勢と、遊技領域の前方位置に進出する演出姿勢とに変姿される。このようにすると、可動物２３による遊技領域の圧迫を回避しつつ、遊技領域全体を利用した可動物演出が可能になる。
【００１８】
また、可動物２３は、格納時にガラス２２間の空間Ｓから退避し、演出時のみガラス２２間の空間Ｓに進入するようにしてある。このようにすると、可動物２３を遊技盤４側に設けても、前枠５の開閉に際して可動物２３が邪魔になることがない。また、可動物２３を常にガラス２２間に位置させる場合に比べ、可動物２３のメンテナンスが容易になる。
【００１９】
また、格納姿勢の可動物２３は、遊技者が目視できない位置に退避させることが好ましい。本実施形態では、前枠５のカバー部材５ｂ内に可動物２３を格納させる。このようにすると、常時は目視できない可動物２３が、遊技領域に突然出現するというインパクトのある演出を行うことが可能になる。
【００２０】
［第二実施形態］
次に、第二実施形態に係るパチンコ遊技機１について、図８を参照して説明する。この図に示すように、第二実施形態に係る可動物２３及び駆動装置２４は、第一実施形態のものと略同様に構成されるが、前枠５側に取付けられる点が第一実施形態と相違している。具体的に説明すると、可動物２３及び駆動装置２４は、予めユニット化され、前枠５の裏面上端部に取付けられる。このようにすると、第一実施形態と同様に構造の簡略化が図れる。また、前枠５に可動物２３を設けると、可動物２３がガラス２２間に進入している状態でも、前枠５を開閉できるという利点がある。例えば、可動物２３がガラス２２間に引っ掛かるというトラブルが生じた場合であっても、可動物２３を破損させることなく、前枠５を開放させることができる。
【００２１】
［第三実施形態］
次に、第三実施形態に係るパチンコ遊技機１について、図９及び図１０を参照して説明する。これらの図に示すように、第三実施形態の可動物２８は、外周にギヤ部を有するリング形状のものであり、正面には、周方向に所定間隔を存して、文字や絵柄が施されている。本実施形態では、「ＣＨＡＮＣＥ！！」、「大当り！！」、「激熱！！」、「はずれ」などの文字列としてある。可動物２８は、ガラス２２間に配置されると共に、その周囲に配置される複数の支持ローラ２９によって回転自在に支持される。可動物２８の前方を覆うガラス２２には、可動物２８を部分的に隠すシール３０が貼着されており、該シール３０の切欠き部３０ａを介して、一つの文字列が目視できるようになっている。
【００２２】
前枠５の上端隅部には、可動物２８を回転駆動させる駆動装置３１は取付けられている。駆動装置３１は、減速ギヤ機構３２と、この減速ギヤ機構３２を介して、可動物２８を回転させるモータ（図示せず）と、これらを支持するケース３３とを備えて構成されている。減速ギヤ機構３２の最終ギヤ３２ａは、ケース３３から突出し、可動物２８のギヤ部に噛合している。これにより、モータ動力で可動物２８を回転させ、任意の文字列を遊技者に示すことが可能になる。
【００２３】
上記のように構成された可動物２８は、リーチ予告やスーパーリーチ演出に好適に用いることができる。例えば、図柄変動中に「ＣＨＡＮＣＥ！！」という文字列を表示して、スーパーリーチを予告したり、スーパーリーチ中に「大当り！！」という文字列を表示して、大当りを告知したりすることができる。
また、本実施形態の可動物２８は、常にガラス２２間に配置されるため、前枠５の開閉を阻害する惧れがなく、また、ガラス２２の保護により、汚れの付着や損傷を防止できるという利点がある。
【００２４】
尚、本発明は、前記実施形態に限定されないことは勿論であって、例えば、可動物の動作形態は、回動、回転に限らず、揺動、スライド、伸縮、折畳みなどを用いることができる。例えば、ガラス間にブラインド状の可動物を配置し、その昇降動作によって、遊技領域を開閉することができる。この場合、可動物に図柄などを施せば、遊技領域全体を利用した演出が可能になる。また、ガラス間に発光体を備える可動物を配置し、これをガラス間で動作させるようにしてもよい。この場合には、可動物の動作だけでなく、発光体の発光による演出も付加されるため、演出効果を更に高めることができる。また、可動物を前枠側に設ける一方、駆動装置を遊技盤側に設け、前枠の閉鎖に応じて両者が連結されるように構成してもよい。また、可動物の数は任意であり、例えば、異なるキャラクタを示す複数の可動物をガラス間に配置し、それらの個別動作や複合動作によって演出を行うようにしてもよい。
【図面の簡単な説明】
【００２５】
【図１】パチンコ遊技機の正面図である。
【図２】パチンコ遊技機の背面図である。
【図３】遊技盤の正面図である。
【図４】第一実施形態に係る遊技機の部分縦断面図である。
【図５】第一実施形態に係る可動物及び駆動装置を示す要部縦断面図である。
【図６】第一実施形態に係る可動物及び駆動装置を示す斜視図である。
【図７】第一実施形態に係る可動物の動作を示す斜視図である。
【図８】第二実施形態に係る可動物の動作を示す斜視図である。
【図９】第三実施形態に係る遊技機の正面図である。
【図１０】第三実施形態に係る可動物の組み付け手順を示す斜視図である。
【符号の説明】
【００２６】
１    パチンコ遊技機
４    遊技盤
４ａ  遊技領域
５    前枠
５ａ  窓
５ｂ  カバー部材
２２  ガラス
２３  可動物
２４  駆動装置
２５  減速ギヤ機構
２６  モータ
２８  可動物
２９  支持ローラ
３０  シール
３１  駆動装置
３２  減速ギヤ機構
Ｓ    空間
【図１】
2006006544.tif 000003
【図２】
2006006544.tif 000004
【図３】
2006006544.tif 000005
【図４】
2006006544.tif 000006
【図５】
2006006544.tif 000007
【図６】
2006006544.tif 000008
【図７】
2006006544.tif 000009
【図８】
2006006544.tif 000010
【図９】
2006006544.tif 000011
【図１０】
2006006544.tif 000012